(57)【要約】【課題】  撮影装置により電子機器の使用者を撮影する際に、それらの使用者毎の属性に応じて撮影条件を変更させることができ、部外者などが電子機器を使用する場合に、撮影条件の強化を図れるようにした撮影条件選択システムを提供する。【解決手段】  撮影装置の撮影条件情報が記憶された記憶媒体と、前記記憶媒体に記憶された撮影条件情報を読み取る読取装置を備えた電子機器と、電子機器と通信可能に接続された撮影装置と、電子機器及び撮影装置と通信可能に接続されたサーバとからなり、電子機器は、読取装置で読み取った撮影条件情報を前記撮影装置に送信する手段を有し、前記撮影装置は、電子機器から受信した撮影条件情報に基づいて撮影条件を選択する選択手段と、前記選択手段で選択された撮影条件で撮影された撮影情報をサーバに送信する手段を有し、サーバは、撮影装置から受信した映像情報を記憶させる映像情報データベースを有する。【選択図】図１
2008011514.tif 000002
【特許請求の範囲】
【請求項１】
撮影装置の撮影条件情報が記憶された記憶媒体と、
前記記憶媒体に記憶された撮影条件情報を読み取る読取装置を備えた電子機器と、
前記電子機器と通信可能に接続された撮影装置と、
前記電子機器及び前記撮影装置と通信可能に接続されたサーバとからなり、
前記電子機器は、前記読取装置で読み取った撮影条件情報を前記撮影装置に送信する手
段を有し、
前記撮影装置は、前記電子機器から受信した撮影条件情報に基づいて撮影条件を選択す
る選択手段と、前記選択手段で選択された撮影条件で撮影された撮影情報を前記サーバに
送信する手段を有し、
前記サーバは、前記撮影装置から受信した映像情報を記憶させる映像情報データベース
を有することを特徴とする撮影条件選択システム。
【請求項２】
前記サーバが、複数の電子機器及び複数の撮影装置と通信可能に接続されていることを
特徴とする請求項１記載の撮影条件選択システム。
【請求項３】
前記撮影条件情報が、撮影倍率情報、撮影領域情報、フォーカス撮影情報のいづれかを
特定する情報であることを特徴とする請求項１記載の撮影条件選択システム。
【請求項４】
電子機器を撮影する撮影装置と通信可能に接続されたサーバであって、前記電子機器が前記撮影装置の撮影条件情報が記憶された記憶媒体から読み取った前記撮影条件情報に基づいて選択された撮影条件で、前記撮影装置が前記電子機器を撮影した映像情報を受信する手段と、受信した前記映像情報を記憶させる映像情報データベースを備えたことを特徴とするサーバ。
【発明の詳細な説明】
【技術分野】
【０００１】
本発明は、監視カメラなどの撮影装置でパソコンやプリンタなどの電子機器の使用者を撮影する際に、使用者毎に複数の撮影条件の中から撮影条件の選択を行えるようにした撮影条件選択システムに関する。
【背景技術】
【０００２】
従来、監視カメラなどの撮影装置を用いて、不審人物を撮影して防犯に活用したり、犯人の特定を行なうために撮影情報を有力な証拠情報として利用するなどしている。
これらの監視カメラを用いたシステムとしては、所定の場所を監視カメラにより随時に撮影して、撮影情報をビデオとして記憶させておき、犯罪や事故などが発生した場合に、それらの記録しておいた撮影情報をディスプレイに映し出して犯行の確認を行なったり、また、予め不審者侵入検出器などを備えておき、不審者が侵入した際に監視カメラを作動させて、不審者を撮影するシステムなどが公知となっている。（例えば、特許文献１乃至５、参照）
【０００３】
また、社内犯罪への対応として、社員が仕事をしているフロアーを監視カメラで撮影するなどして、社員の動向を映像として記録しておき、社内犯罪や不審者の侵入などの状況を後日に調べられるようにするシステムなども知られている。
【０００４】
【特許文献１】特開平９−１９８５７７号公報
【特許文献２】特開平１０−２２２７７３号公報
【特許文献３】特開２００１−３０２１３３号公報
【特許文献４】特開２００４−５５１１号公報
【特許文献５】実開平２−１０８１９２号公報
【０００５】
近年、パソコンや複写機などの電子機器の発達に伴って、重要な秘密情報や個人データなどの重要情報を、電子機器を利用して管理したり、検索できるようにすることで事務処理の効率化を図るなどしている。
ところが、電子機器により重要情報を管理することは、事務処理の効率が上がるという反面、これらの電子機器の使用者が簡単に重要情報や大量のデータを盗み出すこともできるという危険性がある。
【０００６】
このようなことから、監視カメラを利用して電子機器の使用者の動向を撮影して、不正行為の予防や犯罪者の特定などが行えるようにしている。
しかしながら、通常、監視カメラによる撮影は、予め設定した条件で撮影しているので、電子機器の使用者が訪問者であっても、メンテナンスなどで訪れた部外者であっても、社員などと同じ条件で撮影している。
電子機器の使用者が部外者である場合には、監視レベルを強化する必要があるものの撮影条件を自動的に変更させてより効果的な監視が図れないという問題がある。
【発明の開示】
【発明が解決しようとする課題】
【０００７】
そこで、本発明は、監視カメラなどの撮影装置によりパソコンや複写機などの電子機器の使用者を撮影する際に、それらの使用者毎の属性に応じて監視カメラによる撮影条件を変更させることができるようにして、監視レベルを強化する必要がある部外者などが電子機器を使用する場合に、撮影条件の強化を図れるようにしてセキュリティ効果を図れるようにした撮影条件選択システムを提供する。
【課題を解決するための手段】
【０００８】
本発明の撮影条件選択システムは、撮影装置の撮影条件情報が記憶された記憶媒体と、  前記記憶媒体に記憶された撮影条件情報を読み取る読取装置を備えた電子機器と、前記電子機器と通信可能に接続された撮影装置と、前記電子機器及び前記撮影装置と通信可能に接続されたサーバとからなり、前記電子機器は、前記読取装置で読み取った撮影条件情報を前記撮影装置に送信する手段を有し、前記撮影装置は、前記電子機器から受信した撮影条件情報に基づいて撮影条件を選択する選択手段と、前記選択手段で選択された撮影条件で撮影された撮影情報を前記サーバに送信する手段を有し、前記サーバは、前記撮影装置から受信した映像情報を記憶させる映像情報データベースを有することを特徴とする。
【０００９】
また、本発明の撮影条件選択システムは、前記サーバが、複数の電子機器及び複数の撮影装置と通信可能に接続されていることを特徴とする。
【００１０】
更に、本発明の撮影条件選択システムは、前記撮影条件情報が、撮影倍率情報、撮影領域情報、フォーカス撮影情報のいづれかを特定する情報であることを特徴とする。
【００１１】
更に、本発明のサーバは、電子機器を撮影する撮影装置と通信可能に接続されたサーバであって、前記電子機器が前記撮影装置の撮影条件情報が記憶された記憶媒体から読み取った前記撮影条件情報に基づいて選択された撮影条件で、前記撮影装置が前記電子機器を撮影した映像情報を受信する手段と、受信した前記映像情報を記憶させる映像情報データベースを備えたことを特徴とするサーバである。
【発明の効果】
【００１２】
本発明の撮影条件選択システムは、電子機器の使用者が所持する記憶媒体から読み取った撮影条件情報に基づいて、前記撮影装置の撮影条件が選択されて撮影されるので、電子機器の使用者が部外者などの監視強化が必要な場合には、より詳しい映像を入手できるような撮影条件に切り替えて撮影し、映像情報を映像情報データベースに収集することができるので、より高いセキュリティ効果を図れるという効果がある。
【００１３】
また、本発明の撮影条件選択システムは、サーバが、複数の電子機器及び複数の撮影装置と通信可能に接続されているので、パソコン、複写機、ファックスなどの電子機器がフロアーに多く備えられている場合でも、サーバからの指示信号により撮影装置が撮影条件を選択して適切な映像を入手することができるという効果がある。
【００１４】
更に、本発明の撮影条件選択システムは、撮影条件情報が、撮影倍率情報、フォーカス撮影情報のいづれかを特定する情報であるので、電子機器の使用者の属性に応じてより詳しい映像を入手することができるという効果がある。
【発明を実施するための最良の形態】
【００１５】
〔第１の実施形態〕
以下、本発明の第１の実施形態に係る撮影条件選択システムについて、図面に基づいて詳細に説明する。
図１は、本発明の第１の実施形態に係る撮影条件選択システムの構成の概要を説明する図、図２及び図３は、本発明の第１の実施形態に係る撮影条件選択システムのシステムブロック図、図４は、本発明の第１の実施形態に係る撮影条件選択システムにおいて、撮影条件として撮影する電子機器を特定した場合を説明する図、図５は、本発明の第１の実施形態に係る撮影条件選択システムにおいて、撮影条件として１台の電子機器を複数の撮影装置で撮影する場合を説明する図、図６は、本発明の第１の実施形態に係る撮影条件選択システムにおいて、１台の撮影装置で電子機器に対する撮影領域を変更する例であり、（ａ）は、複写機の全体を撮影する場合を示す図、（ｂ）は、複写機のカバーを開けた際に撮影される領域を説明する図、図７は、本発明の第１の実施形態に係る撮影条件選択システムにおいて、電子機器である複写機のカバーを開けた際に、２台の撮影装置で撮影される領域を説明する図、図８は、本発明の実施形態に係る撮影条件選択システムの処理手順を示すフローチャート図である。
【００１６】
本発明の第１の実施形態に係る撮影条件選択システムは、図１に示すように、入室が管理された部屋１内に、パソコン、コピー機、プリンタなどの複数の電子機器２が備えられていると共に、それらの電子機器２の使用者６を撮影するための監視カメラからなる撮影装置３が備えられている。
更に、各電子機器２には、ＩＣカードリーダからなる読取装置５が備えられている。この読取装置５は、使用者６が所持する記憶媒体であるＩＣカード４に記憶された情報を非接触方式により読み取ることができる機能を有している。
【００１７】
部屋１の出入口には、施錠管理装置１０により施錠管理された開閉ドア７が備えられ、部屋１の出入口の外側には、ＩＣカード４に記憶された社員番号などの固有情報を読み取るための入室者用カードリーダ１１が備えられている。
更に、部屋１に入室しようとしている者を撮影するための入室者用監視カメラ１２が備えられ、誰が入室したのかを撮影できるようにしてある。
そして、パソコン、コピー機、プリンタなどの電子機器２と、撮影装置３と、施錠管理装置１０と、入室者用カードリーダ１１と、入室者用監視カメラ１２とは通信線８によりサーバ９と接続されている。
【００１８】
記憶媒体であるＩＣカード４は、撮影装置３の撮影条件情報が記憶された記憶手段を有している。
この撮影条件情報とは、撮影装置３が撮影を行う際にどのような条件で撮影を行うかを特定することができる情報であり、この撮影条件情報には、少なくとも、焦点の位置を定めるフォーカス情報と、撮影するときの倍率を定める撮影倍率情報が含まれ、予め撮影装置３の撮影機能の種類に対応させて撮影条件情報が設定されている。
撮影条件情報により選択可能な撮影条件の具体例を、図４から図６に基づいて説明する。  図４に示す場合の撮影条件は、撮影装置３の撮影領域に関して、撮影装置３が通常の状態では４台の電子機器を撮影可能な領域として設定されているとすると、ＩＣカード４の記憶手段に記憶されている撮影条件情報を読取装置５が読み取ることで、撮影装置３が、その読取装置５が備えられている電子機器２だけをフォーカスして、その１台の電子機器２をズームアップして撮影するように切り替わる。
これにより、例えば、部外者が電子機器を使用した場合には、詳しい映像情報を入手して映像情報データベースに記憶させることができる。
【００１９】
次に、図５に示す場合の撮影条件は、１台の電子機器２を２台の撮影装置３が同時に撮影させるための撮影条件情報がＩＣカード４の記憶手段に登録されている場合が示されている。
つまり、１台の電子機器２に対して複数の撮影装置３で別の角度から撮影することで、不正行為が行われた際にもそれらの行為を多角的に撮影して映像として残しておくことができる。
【００２０】
また、図６に示す場合の撮影条件は、１台の撮影装置で電子機器に対する撮影領域を変更する例であり、（ａ）は、複写機の全体を撮影領域とする場合であり、（ｂ）は、電子機器である複写機のカバーを開けた際に、カバー部分をズームアップさせて撮影できるようにした場合である。
【００２１】
また、図７に示す場合の撮影条件は、１台の電子機器を２台の撮影装置で撮影すると共に、そのうちの１台の撮影装置で電子機器の全体が撮影可能な領域とし、また、別の撮影装置で、電子機器である複写機のカバーを開けた際に、カバー部分をズームアップさせて撮影できるようにした場合である。
【００２２】
次に、発明の実施形態に係る撮影条件選択システムのシステム構成を図２及び図３に基づいて説明する。
まず、電子機器２に備えられた読取装置５には、送受信手段１３、記憶手段１４、制御手段１５、インターフェース（Ｉ／Ｆ）１６などが備えられている。
送受信手段１３は、ＩＣカード４から情報を非接触方式により受信する。記憶手段１４には、制御用プログラムとが搭載されており、送受信手段１３で受信した情報を、通信線１７を介して電子機器２へ送信するようにプログラムされている。
【００２３】
また、電子機器２には、認証手段１８、記憶手段１９、インターフェース（Ｉ／Ｆ）２０，２１、制御手段２２などが備えられている。
認証手段１８は、読取装置５から受信した社員番号などの固有情報から、その使用者がその電子機器２を使用することができると認められた者であるか否かの判定を行なう機能を有し、その判定は、記憶手段１９に記憶された照合用の情報との照合処理により、照合一致した場合にその使用者に対して認証があるとの判定結果が下される。
電子機器２は、認証手段１８での認証が認められるまでは、使用できないようにロック状態となっているが、認証処理で認められた場合には、ロック状態を解除させて電子機器２の使用を可能な状態とする。
【００２４】
また、記憶媒体であるＩＣカード４は、記憶手段２３、送受信手段２４、制御手段２５などが備えられている。
そして、ＩＣカード４は、記憶手段２３に撮影装置３の撮影条件情報と、社員情報などの固有情報が記憶されており、撮影条件情報は撮影装置の撮影条件を特定可能な情報であり、また固有情報は、その利用者の本人認証を行う際に用いられる情報である。
図２に示す実施例では、固有情報を社員番号として用いた場合が示されている。
【００２５】
次に、撮影装置３には、撮影手段２６、撮影情報送信手段２７、記憶手段２８、インターフェース（Ｉ／Ｆ）２９、撮影条件選択手段３０、制御手段３１などが備えられている。
撮影手段２６は、通常の状態では予め定められた領域を撮影して、その映像情報を取り込んで記憶手段２８に記憶させている。
記憶手段２８には、制御用プログラムが搭載されている。
撮影情報送信手段２７は、撮影手段２６で撮影された撮影情報を、通信回線８を介してサーバ９へ送信する機能を有している。
【００２６】
また、サーバ９には、インターフェース（Ｉ／Ｆ）３２、登録手段３３、記憶手段３４、認証手段３５、ドア施錠制御手段３６、映像情報データベース３７、社員情報データベース３８、制御手段３９などが備えられている。
社員情報データベース３８には、予め社員情報として、例えば、社員毎に設定された社員番号と、この社員番号に関係付けられて、氏名、役職、所属部署、電話番号、入社日、などの情報が登録されている。
また、登録手段３３は、通信線８を介して、電子機器２から受信した固有情報である社員番号と、撮影装置３から受信した撮影情報、時刻情報、撮影装置の管理番号とを関係付けて映像情報データベース３７に登録する機能を有している。
更に、登録手段４１は、電子機器２から受信した固有情報である社員番号に基づいて、社員情報データベース３８に登録されている社員情報の中から予め設定された情報を選択
して、撮影情報データベース３７に社員番号と関係付けて登録する機能を有している。
【００２７】
また、サーバ９は、通信回線８を介し電子機器２から受信した固有情報である社員番号が、何時何分に受信されたものであるのかがわかるようにして、社員番号を受信した時刻と、電子機器２から受信した撮影情報の撮影時刻情報とが一致する状態となるようにして、撮影情報データベース３７に登録するようにしてもよい。
つまり、読取装置５で社員番号を読み取ったのと同じ時刻に撮影された映像には、その社員番号で特定される社員が映っており、社員番号から簡単に映像情報の検索ができるようにすることもできる。
【００２８】
更に、認証手段３５は、部屋１に入室する際に使用する入室用カードリーダ１１から受信した固有情報である社員番号の認証処理を行なう機能を有し、認証を受けられた場合に、施錠管理装置１０に対して、開閉ドアの施錠のロックを解除させる指示信号を、通信線８を介して送信させる機能を有する。
【００２９】
また、図３に示すように、通信線８には、部屋１の入口の外側に備えられた入室用カードリーダ１１と、施錠管理された開閉ドア７の施錠状態を管理する施錠管理装置１０とが接続されている。
入室用カードリーダ１１には、送受信手段４０、記憶手段４１、制御手段４２、インターフェース（Ｉ／Ｆ）４３などが備えられている。
送受信手段４０は、ＩＣカード４の送受信手段２４から社員番号や撮影条件情報を非接触方式により受信する。
【００３０】
また、施錠管理装置１０には、開閉ドア７のドアロックの開閉状態を変化させる施錠開閉手段４４、制御手段４５、インターフェース（Ｉ／Ｆ）４６などが備えられている。
施錠開閉手段４４は、サーバ９からドアの施錠のロックを解除させるための指示信号を、通信線８を介して受信した場合に、ドアロックの解除を行い、入室可能な状態にする。
これにより、社員以外の第三者などのＩＣカード４を所持していない者の入室を防止できるようにしてある。
【００３１】
次に、本発明の第１の実施形態に係る撮影条件選択システムの処理手順を、図８に示すフローチャート図に基づいて説明する。
まず、部屋１内に備えられているパソコン、コピー機、プリンタなどの電子機器２の使用者は、部屋１の入口から入る際に入室用カードリーダ１１に対して、所持しているＩＣカード４を近づけて、入室用カードリーダ１１でＩＣカード４に記憶されている社員番号などの固有情報を読み取らせる。（ステップＳ１）
入室用カードリーダ１１は、読み取った固有情報を、通信線８を介してサーバ９へ送信する。（ステップＳ２）
【００３２】
そして、サーバ９は、受信した固有情報の認証処理を行なう。（ステップＳ３）
この認証処理では、社員情報データベース３８に登録されている社員情報から入室を認められているか否かの判定が行なわれ、入室の認証が認められている場合に、サーバ９から施錠管理装置１０に対して、通信線８を介してロック解除を指示する信号が送信される。（ステップＳ４）
これにより施錠管理装置１０のロックが解除されて、開閉ドアからの入室が可能となる。（ステップＳ５）
また、入室しようとする者が部外者である場合、受付などで入室が許可された場合には、その部外者に部外者用のＩＣカード４が渡される。
この部外者用のＩＣカード４に予め認証処理で認証が認められる固有情報が記憶されており、認証手段３５での認証が認められ、サーバ９から施錠管理装置１０に対して、通信線８を介してロック解除を指示する信号が送信されることで入室できるようにしてある。  また、部外者用のＩＣカード４を用いて、電子機器２の使用認証が受けられるようにしてある。
【００３３】
次に、部屋１に入室した者が、パソコン、コピー機、プリンタなどの電子機器２を使用する場合には、まず、電子機器２に備えられている読取装置５に、所持しているＩＣカード３を近づけ、読取装置５がＩＣカード４に記憶されている固有情報及び撮影条件情報を読み取らせる。（ステップＳ６）
そして、読取装置５で読み取った固有情報及び撮影条件情報は、電子機器２に送信される。（ステップＳ７）
次に、電子機器２内で、固有情報の認証処理を受ける。（ステップＳ８）
そして、電子機器２内での認証処理で、その固有番号の認証が認められた場合には、電子機器２の使用が可能な状態に制御される。（ステップＳ９）
【００３４】
更に、電子機器２から撮影装置３に対して、撮影条件情報が送信される。（ステップＳ１０）
ここで、撮影条件情報が送信される撮影装置３は、予め電子機器２毎に設定されており、それらの撮影装置３に対して撮影条件情報が送信される。
そして、撮影条件情報を受信した撮影装置３は、撮影条件情報により指定された撮影条件に切り替えて撮影を行う。（ステップＳ１１）
更に、撮影装置３からサーバ９に対して、撮影した映像情報の送信を行なう。（ステップＳ１２）
サーバ９は、撮影装置３から受信した映像情報を映像情報データベース３７に記憶させる。（ステップＳ１３）
【００３５】
以上のように、本発明の撮影条件選択システムは、ＩＣカード４に記憶されている撮影条件情報に基づいて、監視カメラなどの撮影装置の撮影条件を切り替えることができるようにしてあり、特に部外者に渡す部外者用のＩＣカード４には、図４から図７に示すような、撮影倍率を高くして撮影させたり、撮影領域を、電子機器を使用している部外者がよく映るように設定させたり、複数の撮影装置により多方向から撮影させたり、フォーカスやズームアップさせるなどして、不正行為が行われていないかがよくわかる状態で撮影できるように撮影条件の切り替えを行うための撮影条件情報が記憶されている。
また、部外者に限らずＩＣカード４毎に、そのＩＣカード４を所持させる者の属性などに応じて、様々な撮影条件情報を記憶させておくことができる。
【００３６】
〔第２の実施形態〕
第２の実施形態に係わる撮影条件選択システムは、電子機器２の使用者６が入室する部屋１ごとに撮影条件情報を変更するシステムである。上述した第１の実施形態に係わる撮影条件選択システムにおいては、記憶媒体であるＩＣカード４に記憶された撮影条件情報は固定であった。しかし、同じ使用者６であっても入室する部屋１によっては部外者になるため、使用者６が入室する部屋１ごとに撮影条件情報を変更できることが望ましい。
【００３７】
図９は、第２の実施形態に係わる撮影条件選択システムの構成の概要を説明する図である。第２の実施形態に係わる撮影条件選択システムにおいては、図１で図示した構成に加え、退室者用カードリーダ１１ａが追加され、更に、サーバ９ａは、第１の実施形態のサーバ９に備えられていない要素を備えている。
【００３８】
図１０は、第２の実施形態におけるサーバ９ａのブロック図である。第２の実施形態のサーバ９ａには、図２で示した要素に加え、ＩＣカード４に書込む撮影条件情報を記憶する撮影条件データベース１３１と、ＩＣカード４に書込む撮影条件情報を撮影条件データベース１３１から抽出する撮影条件抽出手段１３０ａを備えている。
【００３９】
図１１は、第２の実施形態において撮影条件データベース１３１に記憶される情報を説明する図で、図１１で図示したように、撮影条件データベース１３１には、ＩＣカード４に記憶された固有情報に関連付けて、固有情報で特定される使用者６の撮影条件情報のデフォルト値と、更に、部屋１を識別するための部屋識別情報ごとに、部屋１に設定された撮影条件情報が記憶されている。
【００４０】
サーバ９ａに備えられた撮影条件抽出手段１３０ａは、入室者用カードリーダ１１がＩＣカード４から固有情報を読み出すと、撮影条件データベース１３１を参照し、固有情報を送信した入室者用カードリーダ１１から使用者６が入室する部屋１の部屋識別情報を特定し、特定する部屋識別情報と固有情報とから撮影条件情報を抽出し、抽出した撮影条件情報を入室者用カードリーダ１１に送信してＩＣカード４に書込む機能を備えている。
【００４１】
ここから、第２の実施形態に係わる撮影条件選択システムの処理手順について説明する。第２の実施形態に係わる撮影条件選択システムでは、電子機器２の使用者６が入室する部屋１に合わせて、ＩＣカード４に記憶される撮影条件情報が変更されるため、第２の実施形態に係わる撮影条件選択システムの処理手順においては、図８で示したフローチャート図の内容に加え、使用者６が退室するとき、ＩＣカード４に記憶されている撮影条件情報をデフォルト値に戻すフローが追加される。
【００４２】
図１２から図１４は、第２の実施形態に係わる撮影条件選択システムの処理手順を示したフローチャート図で、図１２のフローチャート図は、使用者６が部屋１に入室するときのフローチャート図で、図１３のフローチャート図は、使用者６が電子機器２を使用するときのフローチャート図で、図１４のフローチャート図は、使用者６が部屋１から退室するときのフローチャート図である。
【００４３】
まず、図１２のフローチャート図について説明する。ステップＳ１０において、電子機器２の使用者６は、部屋１の入口に設置された入室者用カードリーダ１１にＩＣカード４に記憶されている固有情報を読取らせ、ステップＳ１１において、入室者用カードリーダ１１は、読み取った固有情報を、通信線を介してサーバ９ａへ送信する。
【００４４】
そして、ステップＳ１２において、サーバ９ａは、受信した固有情報の認証処理を行い、固有情報を利用して、使用者６が入室を認められているか否かの判定を行う。使用者６の入室は認められているときはステップＳ１３に進み、電子機器２の使用者６が入室を認められていないときは、開閉ドア７のロックを解除しない。
【００４５】
電子機器２の使用者６の入室が認められているときは、ステップＳ１３において、サーバに備えられた撮影条件抽出手段１３０ａが作動し、ＩＣカード４に書込む撮影条件情報を撮影条件データベース１３１から抽出する。
【００４６】
サーバ９ａに備えられた撮影条件抽出手段１３０ａは、撮影条件データベース１３１を参照し、固有情報を送信した入室者用カードリーダ１１の識別番号から、入室者用カードリーダ１１が設置されている部屋１の部屋識別情報を特定し、入室者用カードリーダ１１から受信した固有情報と、特定した部屋識別情報とから、ＩＣカード４に書込む撮影条件情報を抽出する。
【００４７】
そして、ステップＳ１４において、サーバ９ａは、ステップＳ１３で抽出した撮影条件情報を、ステップＳ１１で固有情報を送信した入室者用カードリーダ１１に送信し、入室者用カードリーダ１１は、受信した撮影条件情報をＩＣカード４に書き込む。
【００４８】
なお、ステップＳ１４において、サーバ９ａは、ステップＳ１３で抽出した撮影条件情報を、ステップＳ１１で固有情報を送信した入室者用カードリーダ１１に送信する際に、サーバ９ａは、ステップＳ１３で抽出した撮影条件情報と撮影条件情報のデフォルト値を比較し、ステップＳ１３で抽出した撮影条件情報と撮影条件情報のデフォルト値が同一の場合、ステップＳ１３で抽出した撮影条件情報を、ステップＳ２で固有情報を送信した入室者用カードリーダ１１に送信せず、ＩＣカード４に記憶された撮影条件情報を変更しないことが望ましい。
【００４９】
入室者用カードリーダ１１に送信した撮影条件情報がＩＣカード４に書き込まれた後、ステップＳ１５でサーバ９ａは、施錠管理装置１０に対して、通信線８を介してロック解除を指示する信号を送信し、ステップＳ１６において、施錠管理装置１０のロックが解除されて、開閉ドア７からの入室が可能となる。
【００５０】
次に、図１３のフローチャート図について説明する。図１２の処理手順が実行されることで、部屋１に入室した使用者６が、パソコン、コピー機、プリンタなどの電子機器２を使用する場合には、ステップＳ２０において、電子機器２に備えられている読取装置５に、所持しているＩＣカード４を近づけ、読取装置５がＩＣカード４に記憶されている固有情報及び撮影条件情報を読み取らせる。
【００５１】
ステップＳ２１において、読取装置５で読み取った固有情報及び撮影条件情報は、電子機器２に送信され、ステップＳ２２において、電子機器２内で、固有情報の認証処理を受ける。電子機器２内での認証処理で、その固有番号の認証が認められた場合はステップＳ２３に進み、その固有番号の認証が認められない場合は、電子機器２の使用は許可されずに、この処理手順は終了する。
【００５２】
電子機器２内での認証処理で、その固有番号の認証が認められた場合は、ステップＳ２３において、電子機器２は、電子機器２の使用が可能な状態に制御され、ステップＳ２４において、電子機器２は、撮影装置３に対して撮影条件情報を送信する。
【００５３】
ステップＳ２４で撮影条件情報を受信した撮影装置３は、ステップＳ２５において、撮影条件情報により指定された撮影条件に切り替えて撮影し、ステップＳ２６において、撮影装置３からサーバ９ａに対して、撮影した映像情報が送信され、ステップＳ２７において、サーバは、撮影装置３から受信した映像情報を映像情報データベース３７に記憶する。
【００５４】
図１３のフローチャート図のステップＳ２０で読み取られる撮影条件情報は、図１２のステップＳ１３で抽出した撮影条件情報であるため、電子機器２が設置されている部屋１に応じて、撮影条件情報を変更することができる。
【００５５】
次に、図１４のフローチャート図について説明する。図１２の処理手順が実行されることで部屋１に入室した使用者６は、入室した部屋１から退室するとき、ステップＳ３０において、部屋１の出口に設置された退室者用カードリーダ１１ａにＩＣカード４をかざし、退室者用カードリーダ１１ａは、固有情報と撮影条件情報をＩＣカード４から読み取る。
【００５６】
ステップＳ３１において、退室者用カードリーダ１１ａは、ＩＣカード４から読み取った固有情報及び撮影条件情報を、通信線８を介してサーバ９ａへ送信する。
【００５７】
ステップＳ３２において、サーバ９ａに備えられた撮影条件抽出手段１３０ａが作動し、サーバ９ａに備えられた撮影条件抽出手段１３０ａは、撮影条件データベース１３１を参照し、固有情報から撮影条件情報のデフォルト値を抽出する。
【００５８】
そして、ステップＳ３３において、サーバ９ａは、ステップＳ３２で抽出した撮影条件情報のデフォルト値を退室者用カードリーダ１１ａに送信し、ステップＳ３４において、退室者用カードリーダ１１ａは、受信した撮影条件情報のデフォルト値をＩＣカード４に書き込む。
【００５９】
なお、ステップＳ３３において、サーバ９ａは、ステップＳ１３で抽出した撮影条件情報を入室者用カードリーダ１１に送信する際に、サーバ９ａは、ステップＳ３２で抽出した撮影条件情報と撮影条件情報のデフォルト値を比較し、ステップＳ３２で抽出した撮影条件情報と撮影条件情報のデフォルト値が同一の場合、ステップＳ３２で抽出した撮影条件情報を、ステップＳ３４で固有情報を送信した入室者用カードリーダ１１に送信せず、ＩＣカード４に記憶された撮影条件情報を変更しないことが望ましい。
【００６０】
サーバ９ａは、退室者用カードリーダ１１ａから撮影条件情報の書き込み完了の信号を受信すると、ステップＳ３５において、施錠管理装置１０に対して、通信線８を介してロック解除を指示する信号を送信し、ステップＳ３６において、施錠管理装置１０のロックが解除されて、開閉ドア７からの入室が可能となる。
【００６１】
なお、第２の実施形態に係わる撮影条件選択システムにおいては、部屋１ごとに撮影条件情報が設定されていたが、撮影条件情報の抽出に種々の変形や変更が可能である。
【００６２】
例えば、電子機器２の使用者６が入室する部屋１に在室する人数に応じて、ＩＣカード４に書き込む撮影条件情報を変更するようにしてもよい。使用者６が入室する部屋１に在室する人数に応じて、ＩＣカード４に書き込む撮影条件情報を変更するとき、サーバ９ａは、部屋１ごとに在室する人数をカウントするカウンタを有し、撮影条件データベース１３１には、在室者の人数に応じた撮影条件情報が記憶される。
【００６３】
図１５は、電子機器２の使用者６が入室する部屋１に在室者の人数に応じて、ＩＣカード４に書き込む撮影条件情報を変更するときに、撮影条件データベース１３１に記憶される情報を説明する図である。
【００６４】
図１５に図示したように、電子機器２の使用者６が入室する部屋１に在室者の人数に応じて、ＩＣカード４に書き込む撮影条件情報を変更するとき、サーバ９ａに備えられた撮影条件データベース１３１には、ＩＣカード４に記憶された固有情報に関連付けて、固有情報で特定される使用者６の撮影条件情報のデフォルト値と、更に、部屋１を識別するための部屋識別情報ごとに、その部屋１における使用者６の第１の撮影条件情報と第２の撮影条件情報とが記憶される。
【００６５】
ここで、第１の撮影条件情報とは、部屋１の在室者が一定値以上のときの撮影条件情報で、第２の撮影条件情報とは、部屋１の在室者が一定値未満のときの撮影条件情報である。
【００６６】
電子機器２の使用者６が入室する部屋１に在室者の人数に応じて、ＩＣカード４に書き込む撮影条件情報を変更するときの撮影条件選択システムの処理手順は、図１２から図１４で図示したフローチャート図と同様である。
【００６７】
ただし、図１２のステップＳ１３において、サーバ９ａは、カウンタから得られる在室する人数に応じて、撮影条件データベース１３１から撮影条件情報を抽出し、更に、サーバ９ａは、図１２のステップＳ１６で、電子機器２の使用者６が入室するために、開閉ドア７のロックが解除されるごとにカウンタをインクリメントし、図１４のステップＳ３５で、施錠管理装置１０にロック解除信号を送信するごとに、カウンタをデクリメントする。
【００６８】
また、休日や深夜など、時間的な要因で部屋１のセキュリティが低下するときは、電子機器２の使用者６が入室する部屋１の日時に応じて、ＩＣカード４に書き込む撮影条件情報を変更するようにするとよい。
【００６９】
電子機器２の使用者６が入室する日時に応じて、ＩＣカード４に書き込む撮影条件情報を変更するとき、サーバ９ａに備えられた撮影条件データベース１３１には、休日や深夜などのセキュリティが低下する日時用の撮影条件情報が記憶される。
【００７０】
例えば、図１５を用いて説明すれば、図１５で図示した第１の撮影条件情報として、通常時の撮影条件情報が記憶され、図１５で図示した第２の撮影条件情報として、休日や深夜などセキュリティが低下する日時用の撮影条件情報が記憶される。
【００７１】
そして、図１２のステップＳ１３において、サーバ９ａの撮影条件抽出手段１３０ａは、入室者用カードリーダ１１から固有情報を受信したときの日時に応じて、撮影条件データベース１３１から撮影条件情報を抽出し、抽出した撮影条件情報をＩＣカード４に書き込む。
【００７２】
更に、部屋１にセキュリティ管理者などの役職者が設定されているときは、セキュリティ管理者の在室／不在に応じて、ＩＣカード４に書き込む撮影条件情報を変更するようにしてもよい。
【００７３】
セキュリティ管理者などの役職者の在室／不在に応じて、ＩＣカード４に書き込む撮影条件情報を変更するとき、サーバ９ａは、セキュリティ管理者などの役職者の固有情報を記憶し、セキュリティ管理者などの役職者の在室／不在を示すフラグを保持し、更に、セキュリティ管理者などの役職者の在室／不在に応じて、撮影条件情報が撮影条件データベース１３１に記憶される。
【００７４】
例えば、図１５を用いて説明すれば、図１５で図示した第１の撮影条件情報として、役職者が在室時の撮影条件情報が記憶され、図１５で図示した第２の撮影条件情報として、役職者が不在時の撮影条件情報が記憶される。
【００７５】
そして、図１２のステップＳ１３において、サーバ９ａの撮影条件抽出手段１３０ａは、役職者の在室／不在を示すフラグを参照して、撮影条件データベース１３１から撮影条件情報を抽出し、抽出した撮影条件情報をＩＣカード４に書き込む。
【００７６】
更に、図１２のステップＳ１２において、サーバ９ａは、入室者用カードリーダ１１から送信された固有情報は役職者の固有情報の場合、役職者の在室を示す値にフラグを設定し、図１４のステップＳ３１で、入室者用カードリーダ１１から送信された固有情報が役職者の固有情報の場合、役職者の不在を示す値にフラグを設定する。
【００７７】
〔第３の実施形態〕
第３の実施形態に係わる撮影条件選択システムは、電子機器２がサーバ９を介して撮影装置に対し撮影条件情報が送信する実施形態である。
【００７８】
図１６は、第３の実施形態におけるサーバ９ｂのブロック図である。第３の実施形態に係わるサーバ９ｂの構成は、図１０で示したサーバ９ａの構成と同じであるが、サーバ９ｂに備えられた撮影条件抽出手段１３０ｂは、抽出した撮影条件情報を入室者用カードリーダ１１に送信せず、抽出した撮影条件情報を撮影装置３に送信する機能を備えている。
【００７９】
第２の実施形態に係わる撮影条件選択システムにおいて、撮影条件情報のデフォルト値は予めＩＣカード４に記憶され、電子機器２の使用者６が入室するときに、サーバ９ａが撮影条件情報の変更が必要であるか判断し、撮影条件情報の変更が必要である場合、入室者用カードリーダ１１を用いて変更後の撮影条件情報をＩＣカード４に書き込み、退室者用カードリーダ１１ａで、ＩＣカード４に記憶された撮影条件情報を撮影条件情報のデフォルト値に復旧させていた。
【００８０】
第３の実施形態に係わる撮影条件選択システムでは、ＩＣカード４に予め撮影条件情報は記憶されておらず、使用者６が利用する電子機器２から固有情報が送信されたときに、サーバ９ｂの撮影条件抽出手段１３０ｂが、固有情報を送信した電子機器２に適した撮影条件情報を抽出し、使用者６が利用する電子機器２を撮影する撮影装置３に抽出した撮影条件情報を送信する。なお、撮影条件情報が送信される撮影装置３は、予め電子機器２毎に設定されており、それらの情報はサーバ９ｂに記憶されている。
【００８１】
図１７は、第３の実施形態におきて撮影条件データベース１３１に記憶される情報を説明する図である。図１７に図示したように、第３の実施形態において、サーバ９ｂに備えられた撮影条件データベース１３１には、ＩＣカード４に記憶された固有情報に関連付けて、電子機器２を識別するための電子機器識別情報ごとに、電子機器２の撮影条件情報が記憶される。
【００８２】
ここから、第３の実施形態に係わる撮影条件選択システムの処理手順について説明する。第３の実施形態に係わる撮影条件選択システムでは、ＩＣカード４に記憶されている撮影条件情報が変更されないため、第２の実施形態に係わる撮影条件選択システムの処理手順において必要であった図１３で示したフローチャート図、すなわち、電子機器２の使用者６が退室するとき、ＩＣカード４に記憶されている撮影条件情報をデフォルト値に戻すフローは必要とされない。
【００８３】
図１８及び図１９は、第３の実施形態に係わる撮影条件選択システムの処理手順を示したフローチャート図で、図１８のフローチャート図は、電子機器２の使用者６が部屋１に入室するときのフローチャート図で、図１９のフローチャート図は、電子機器２の使用者６が電子機器２を使用するときのフローチャート図である。
【００８４】
まず、図１８のフローチャート図について説明する。ステップＳ４０において、電子機器２の使用者６は、部屋１の入口に設置された入室者用カードリーダ１１にＩＣカード４に記憶されている固有情報を読取らせ、ステップＳ４１において、入室者用カードリーダ１１は、読み取った固有情報を、通信線８を介してサーバへ送信する。
【００８５】
そして、ステップＳ４２において、サーバ９ｂは、受信した固有情報の認証処理を行い、固有情報を利用して、電子機器２の使用者６が入室を認められているか否かの判定を行う。電子機器２の使用者６が入室を認められているときはステップＳ４３に進み、電子機器２の使用者６が入室を認められていないときは、開閉ドア７のロックを解除されない。
【００８６】
サーバは、電子機器２の使用者６が入室を認められているとき、ステップＳ４３において、施錠管理装置１０に対して、通信線８を介してロック解除を指示する信号を送信し、ステップＳ４４において、施錠管理装置１０のロックが解除されて、開閉ドア７からの入室が可能となる。
【００８７】
次に、図１９のフローチャート図について説明する。図１８の処理手順が実行されることで、部屋１に入室した電子機器２の使用者６が、パソコン、コピー機、プリンタなどの電子機器２を使用する場合、ステップＳ５０において、電子機器２に備えられている読取装置５に、所持しているＩＣカード４を近づけ、読取装置５がＩＣカード４に記憶されている固有情報を読み取らせる。
【００８８】
ステップＳ５１において、読取装置５で読み取った固有情報は、電子機器２に送信され、ステップＳ５２において、電子機器２内で、固有情報の認証処理を受ける。電子機器２内での認証処理で、その固有番号の認証が認められた場合はステップＳ５３に進み、その固有番号の認証が認められない場合は、電子機器２の使用は許可されずに、この処理手順は終了する。
【００８９】
電子機器２内での認証処理で、その固有番号の認証が認められた場合は、ステップＳ５３において、電子機器２は使用可能な状態に遷移する。そして、ステップＳ５４において、電子機器２からサーバへ、ＩＣカード４から読み出した固有情報が送信される。
【００９０】
ステップＳ５５において、サーバ９ｂに備えられた撮影条件抽出手段１３０ｂが作動し、電子機器２から送信された固有情報に基づいて、ＩＣカード４に書込む撮影条件情報を撮影条件データベース１３１から抽出する。
【００９１】
ステップＳ５６において、ステップＳ５５で抽出した撮影条件情報を、固有情報を送信した電子機器２を撮影する撮影装置３に送信し、ステップＳ５７において、撮影装置３は受信した撮影条件情報で電子機器２を撮影し、ステップＳ５８において、撮影装置３からサーバに対して、撮影した映像情報が送信され、ステップＳ５９で、サーバは、撮影装置３から受信した映像情報を映像情報データベース３７に記憶する。
【図面の簡単な説明】
【００９２】
【図１】本発明の第１の実施形態に係る撮影条件選択システムの構成の概要を説明する図。
【図２】本発明の第１の実施形態に係る撮影条件選択システムのシステムブロック図。
【図３】本発明の第１の実施形態に係る撮影条件選択システムのシステムブロック図。
【図４】本発明の第１の実施形態に係る撮影条件選択システムにおいて、撮影条件として撮影する電子機器を特定した場合を説明する図。
【図５】本発明の第１の実施形態に係る撮影条件選択システムにおいて、撮影条件として１台の電子機器を複数の撮影装置で撮影する場合を説明する図。
【図６】本発明の第１の実施形態に係る撮影条件選択システムにおいて、１台の撮影装置で電子機器に対する撮影領域を変更する例であり、（ａ）は、複写機の全体を撮影する    場合を示す図であり、（ｂ）は、複写機のカバーを開けた際に撮影される領域を説明する図。
【図７】本発明の第１の実施形態に係る撮影条件選択システムにおいて、電子機器である複写機のカバーを開けた際に、２台の撮影装置で撮影される領域を説明する図。
【図８】本発明の第１の実施形態に係る撮影条件選択システムの処理手順を示すフローチャート図。
【図９】第２の実施形態に係わる撮影条件選択システムの構成の概要を説明する図。
【図１０】第２の実施形態におけるサーバのブロック図。
【図１１】第２の実施形態において撮影条件データベースに記憶される情報を説明する図。
【図１２】第２の実施形態において、使用者が部屋に入室するときのフローチャート図。
【図１３】第２の実施形態において、使用者が電子機器を使用するときのフローチャート図。
【図１４】第２の実施形態において、使用者が部屋から退室するときのフローチャート図。
【図１５】電子機器の使用者が入室する部屋に在室者の人数に応じて撮影条件情報を変更するときに、撮影条件データベースに記憶される情報を説明する図。
【図１６】第３の実施形態におけるサーバのブロック図。
【図１７】第３の実施形態におきて撮影条件データベースに記憶される情報を説明する図。
【図１８】第３の実施形態において、電子機器の使用者が部屋に入室するときのフローチャート図。
【図１９】第３の実施形態において、電子機器の使用者が電子機器を使用するときのフローチャート図。
【符号の説明】
【００９３】
１  入室が管理された部屋
２  電子機器
３  撮影装置
４  ＩＣカード
５  読取装置
６  電子機器の使用者
７  開閉ドア
８，１７  通信線
９，９ａ，９ｂ  サーバ
１０  施錠管理装置
１１  入室者用カードリーダ
１２  入室者用監視カメラ
１３，２４，４０  送受信手段
１４，１９，２３，２８，３４，４１  記憶手段
１５，２２，３１，３９，４２，４５  制御手段
１６，２１，２９，３２，４３，４６  インターフェース（Ｉ／Ｆ）
１８  認証手段
２６  撮影手段
２７  撮影情報送信手段
３０  撮影条件選択手段
３３  登録手段
３６  ドア施錠制御手段
３７  映像情報データベース
３８  社員情報データベース
４４  施錠開閉手段
１３０  撮影条件抽出手段
１３１  撮影条件データベース
【図１】
2008011514.tif 000003
【図２】
2008011514.tif 000004
【図３】
2008011514.tif 000005
【図４】
2008011514.tif 000006
【図５】
2008011514.tif 000007
【図６】
2008011514.tif 000008
【図７】
2008011514.tif 000009
【図８】
2008011514.tif 000010
【図９】
2008011514.tif 000011
【図１０】
2008011514.tif 000012
【図１１】
2008011514.tif 000013
【図１２】
2008011514.tif 000014
【図１３】
2008011514.tif 000015
【図１４】
2008011514.tif 000016
【図１５】
2008011514.tif 000017
【図１６】
2008011514.tif 000018
【図１７】
2008011514.tif 000019
【図１８】
2008011514.tif 000020
【図１９】
2008011514.tif 000021